(57)【要約】  【課題】  縦立状態でシート原稿を読取り可能であって、簡単な操作でブック原稿を読取り可能な状態にすることができる画像形成装置を提供すること。  【解決手段】    スキャナ部３を本体筺体２に対して閉じた状態では（（ａ）参照）、ガラス面３ａに対面するようにシート原稿を供給して読取り可能とし、スキャナ部３を本体筐体２に対して開いた状態では（（ｂ）参照）、ガラス面３ａが上向きに配置され、そのガラス面３ａにブック原稿を載置してブック原稿を読取り可能に構成されている。  【選択図】        図２
2006093759.tif 000002
【特許請求の範囲】
【請求項１】
一面に読取り面を備える箱型形状の筐体内に収納され前記読取り面に沿って移動可能な走査手段を有し原稿と走査手段を相対的に移動させて画像を読取る画像読取部と、
シート材を収容するシート材供給手段、そのシート材供給手段から送り出されたシート材を搬送する搬送手段およびその搬送手段により搬送されるシート材に記録する記録手段を有し前記画像読取部における読取り面と対向する位置に配置される画像記録部とを備え、縦立状態で配置される画像形成装置であって、
前記画像読取部は、前記画像記録部に対して、ブック原稿を読取り可能な平置き形態と、シート原稿のみ読取り可能な縦置き形態とに変位可能に構成され、前記平置き形態においては、前記読取り面が上向きとされるように構成されることを特徴とする画像形成装置。
【請求項２】
前記画像読取部の前記画像記録部に対する変位動作は、少なくとも回動動作を含み、その回動動作により前記縦置き形態から平置き形態に変位した状態では、前記読取り面が上向きに配置されることを特徴とする請求項１に記載の画像形成装置。
【請求項３】
前記縦置き形態では、前記読取り面が略鉛直に配置され、
前記平置き形態では、前記読取り面が略水平に配置されるように前記画像読取部は脚部を備えていることを特徴とする請求項１又は２に記載の画像形成装置。
【請求項４】
前記搬送手段は、前記記録手段を介して略Ｕ字状搬送経路を経てシート材を装置外に搬送することを特徴とする請求項１から３のいずれかに記載の画像形成装置。
【請求項５】
前記搬送手段は、前記記録手段を介して略Ｌ字状搬送経路を経てシート材を装置外に搬送することを特徴とする請求項１から３のいずれかに記載の画像形成装置。
【請求項６】
前記縦置き形態において前記読取り面にシート原稿を供給可能な原稿供給口が形成され、
その原稿供給口から前記読取り面に供給されたシート原稿を再び原稿供給口から排出する原稿排出手段を備えていることを特徴とする請求項１から５のいずれかに記載の画像形成装置。
【請求項７】
前記原稿排出手段は、前記原稿供給口から供給される最小のシート原稿サイズを読取り後、再び原稿供給口から排出可能に配置されていることを特徴とする請求項６に記載の画像形成装置。
【発明の詳細な説明】
【技術分野】
【０００１】
本発明は、縦立状態でシート原稿を読取り可能であって、簡単な操作でブック原稿を読取り可能な状態にすることができる画像形成装置に関する。
【背景技術】
【０００２】
従来より、省スペースで使用することができるように適宜、横置き、縦置きを可能とするように構成されたスキャナ機能付きプリンタ装置が知られている。例えば、次の特許文献１には、箱状のプリンタユニット部を台座として、そのプリンタユニット部に対して縦立した状態でスキャナ部が取付けられたプリンタ装置が開示されている。
【０００３】
このプリンタ装置によれば、シート原稿を読取る場合には、スキャナ部を縦立させたままの状態で、シート原稿をスキャナ部に沿って供給してスキャニングが可能になっている。一方、ブック原稿を読取る場合には、スキャナ部が載置面に対して水平になるようにプリンタ装置自体を横に倒して、そのスキャナ部にブック原稿を載置してスキャニングが可能になっている。
【特許文献１】特開２００３−１１５９６３号公報（第０００６段落、図３等）
【発明の開示】
【発明が解決しようとする課題】
【０００４】
しかしながら、特許文献１に開示された技術では、ブック原稿を読取る場合には、スキャナ部を載置面に対して水平になるように、プリンタ装置自体を倒す必要があり非常に面倒であるという問題点があった。
【０００５】
本発明は、上述した問題点を解決するためになされたものであり、縦立状態でシート原稿を読取り可能であって、簡単な操作でブック原稿を読取り可能な状態にすることができる画像形成装置を提供することを目的としている。
【課題を解決するための手段】
【０００６】
この目的を達成するために請求項１記載の画像形成装置は、一面に読取り面を備える箱型形状の筐体内に収納され前記読取り面に沿って移動可能な走査手段を有し原稿と走査手段を相対的に移動させて画像を読取る画像読取部と、シート材を収容するシート材供給手段、そのシート材供給手段から送り出されたシート材を搬送する搬送手段およびその搬送手段により搬送されるシート材に記録する記録手段を有し前記画像読取部における読取り面と対向する位置に配置される画像記録部とを備え縦立状態で配置されるものであって、前記画像読取部は、前記画像記録部に対して、ブック原稿を読取り可能な平置き形態と、シート原稿のみ読取り可能な縦置き形態とに変位可能に構成され、前記平置き形態においては、前記読取り面が上向きとされるように構成される。
【０００７】
請求項２記載の画像形成装置は、請求項１記載の画像形成装置において、前記画像読取部の前記画像記録部に対する変位動作は、少なくとも回動動作を含み、その回動動作により前記縦置き形態から平置き形態に変位した状態では、前記読取り面が上向きに配置される。
【０００８】
請求項３記載の画像形成装置は、請求項１又は２に記載の画像形成装置において、前記縦置き形態では、前記読取り面が略鉛直に配置され、前記平置き形態では、前記読取り面が略水平に配置されるように前記画像読取部は脚部を備えている。
【０００９】
請求項４記載の画像形成装置は、請求項１から３のいずれかに記載の画像形成装置において、前記搬送手段は、前記記録手段を介して略Ｕ字状搬送経路を経てシート材を装置外に搬送する。
【００１０】
請求項５記載の画像形成装置は、請求項１から３のいずれかに記載の画像形成装置において、前記搬送手段は、前記記録手段を介して略Ｌ字状搬送経路を経てシート材を装置外に搬送する。
【００１１】
請求項６記載の画像形成装置は、請求項１から５のいずれかに記載の画像形成装置において、前記縦置き形態において前記読取り面にシート原稿を供給可能な原稿供給口が形成され、その原稿供給口から前記読取り面に供給されたシート原稿を再び原稿供給口から排出する原稿排出手段を備えている。
【００１２】
請求項７記載の画像形成装置は、請求項６に記載の画像形成装置において、前記原稿排出手段は、前記原稿供給口から供給される最小のシート原稿サイズを読取り後、再び原稿供給口から排出可能に配置されている。
【発明の効果】
【００１３】
請求項１記載の画像形成装置によれば、画像読取部は画像記録部に対してブック原稿を読取り可能な平置き形態とシート原稿のみ読取り可能な縦置き形態とに変位可能に構成され、平置き形態においては読取り面が上向きとされるように構成されているので、ブック原稿を読取る場合には、画像読取部を平置き形態にして読取り面の上にブックを載置させれば良く、従来のようにプリンタ装置自体を横に倒す必要はないので、簡単な操作でブック原稿を読取ることができるという効果がある。尚、シート原稿を読取る場合には、画像読取部を縦置き形態にすれば良いので、省スペースでシート原稿を読取ることができる。
【００１４】
請求項２記載の画像形成装置によれば、請求項１に記載の画像形成装置の奏する効果に加え、画像読取部の画像記録部に対する変位動作には少なくとも回動動作が含まれているので、例えば、画像記録部に対して画像読取部を回転可能に軸支すれば、画像記録部に対して画像読取部を引倒すという簡単な操作で、画像読取部を縦置き形態から平置き形態に変位させることができるという効果がある。
【００１５】
請求項３記載の画像形成装置によれば、請求項１又は２に記載の画像形成装置の奏する効果に加え、縦置き形態では読取り面が略鉛直に配置されるので、読取り面が鉛直方向に対して傾斜して配置される場合よりも省スペースでシート原稿を読取ることができる。また、平置き形態では読取り面が略水平に配置されるように画像読取部が脚部を備えているので、平置き形態では画像読取部は脚部によって支持され、画像読取部を直接に載置面に倒す場合に比べて、載置面の状態に影響されることなく、読取面を略水平に配置することができる。また、操作者がブック原稿を支持していなくてもブック原稿を安定した状態で読取り面の上に載置することができ便利であるという効果がある。
【００１６】
請求項４記載の画像形成装置によれば、請求項１から３のいずれかに記載の画像形成装置の奏する効果に加え、シート材は記録手段を介して略Ｕ字状搬送経路を経て装置外に搬送されるので、縦置き状態において、シート原稿を供給する方向とシート材を排出する方向とを共通にすることができ、操作性を向上させることができるという効果がある。
【００１７】
請求項５記載の画像形成装置によれば、請求項４に記載の画像形成装置の奏する効果に加え、シート材は記録手段を介して略Ｌ字状搬送経路を経て装置外に搬送されるので、シート材を略Ｕ字状搬送経路を経て装置外に搬送する場合に比べてシート材の搬送距離を短くすることができる。よって、高速にシート材を装置外に搬送することができるという効果がある。
【００１８】
請求項６記載の画像形成装置によれば、請求項１から５のいずれかに記載の画像形装置の奏する効果に加え、原稿供給口から供給されるシート原稿は再び原稿供給口から排出されるので、供給されたシート原稿を装置外に排出する原稿排出口を原稿供給口とは別に設ける必要がなく、原稿供給口と原稿排出口とを共通化でき、より装置の操作性を向上させることができるという効果がある。
【００１９】
請求項７記載の画像形成装置によれば、請求項６に記載の画像形成装置の奏する効果に加え、原稿排出手段は、原稿供給口から供給される最小のシート原稿サイズを読取り後、再び原稿供給口から排出可能に配置されているので、原稿供給口から供給される最小のシート原稿であっても再び原稿供給口から排出することができるという効果がある。
【発明を実施するための最良の形態】
【００２０】
以下、本発明の好ましい実施例について、添付図面を参照して説明する。図１（ａ）は本体筐体２に対してスキャナ部３と蓋部材１１とを閉じた状態を示す本発明のプリンタ装置１の斜視図である。図１（ｂ）は本体筺体２に対してスキャナ部３と蓋部材１１とを開いた状態を示すプリンタ装置１の斜視図である。尚、図１（ａ）に示す状態がシート原稿のみを読取り可能な縦置き形態であり、図１（ｂ）に示す状態がブック原稿を読取り可能な平置き形態である。
【００２１】
プリンタ装置１は、縦立状態でシート原稿を読取り可能であって、簡単な操作でブック原稿を読取り可能な状態にすることができるスキャナ機能付プリンタ装置である。プリンタ装置１は、主に、載置面に縦立した状態で載置される本体筐体２と、その本体筺体２に対して開閉可能に軸支されたスキャナ部３とを備えている。
【００２２】
本体筺体２は、その最小面積面を底面とする略直方体に形成され、その内部に記録媒体に記録をする記録装置を内包し、その最大面積面である側面にスキャナ部３を内包する程度の大きさで内側に凹む凹部２ａ（図１（ｂ）参照）を備えている。
【００２３】
よって、載置面に対する本体筐体２の占有面積は最小に抑制され、省スペースでプリンタ装置１を載置面に載置することができる。また、本体筐体２に対してスキャナ部３を閉じた状態では、スキャナ部３は本体筐体２の凹部２ａに収容された状態になるので、プリンタ装置１自体の大きさをコンパクトにすることができ、運搬等にも便利である。
【００２４】
スキャナ部３は、原稿の画像を読取る部分であり、肉厚な略板状に形成されている。その内部には原稿を光学的に読取る読取装置が内包され、本体筺体２に対して閉じた状態にある場合に本体筐体２と対面する面（本体筺体２に対して開いた状態にある場合に上向きに配置される面）に透明なガラス板３ａが配置されている。
【００２５】
また、スキャナ部３は本体筺体２に対して閉じた状態にある場合に、ガラス板３ａと、ガラス板３ａと対面する凹部２の表面との間に空隙部（図示せず）が形成されるように、ガラス板３ａよりも下方の部分を凹部２ａの内側において軸支されている。尚、ガラス面３ａと対面する凹部２ａの表面は、原稿支持面２ｂとして形成される。
【００２６】
よって、本体筺体２に対してスキャナ部３を閉じた状態において、空隙部に後述する原稿供給口４からシート原稿を供給すると、スキャナ部３によりシート原稿が読込まれる。一方、本体筐体２に対してスキャナ部３を開いた状態にすると、ガラス面３ａが上向きに配置されるので、ガラス面３ａの上にブック原稿を載置するとスキャナ部３においてブック原稿が読込まれる。
【００２７】
即ち、このプリンタ装置１は、スキャナ部３を閉じた状態では、ガラス面３ａに対面するようにシート原稿を供給して読取り可能とし、スキャナ部３を本体筐体２に対して開いた状態では、ガラス面３ａが上向きに配置され、ガラス面３ａにブック原稿を載置してブック原稿を読取り可能に構成されている。
【００２８】
このように、本体筺体２とスキャナ部３とを従立させた状態のままシート原稿を読取ることができると共に、ブック原稿を読取る場合には、本体筐体２は載置面に縦立させたままでスキャナ部３だけを載置面側に引き倒し、その上にブック原稿を載置すれば、従来のようにプリンタ装置１自体を載置面に倒すことなく、簡単な操作でブック原稿を読取ることができる。
【００２９】
次に、プリンタ装置１に関する具体的な構成について説明を続ける。本体筐体２の上面には、下段側から順番に原稿供給口４と、記録媒体排出口５と、各種操作子６等と、液晶パネル１０とが配置されている。
【００３０】
原稿供給口４は、シート原稿を読取る場合に、そのシート原稿を上述した空隙部に供給するための開口である。原稿供給口４は、空隙部から上方に向かって連続して延びて外部と連通する細長い帯状に開口されている。この原稿供給口４からシート原稿を挿入することで、シート原稿は自由落下し、シート原稿を空隙部に供給することができる。
【００３１】
記録媒体排出口５は、スキャナ部３で読取った画像を記録した記録媒体を外部に排出するための開口であり、細長い帯状に開口されている。本体筺体２の内部には、記録媒体を収納する記録媒体収納トレイが内包されており、この記録媒体収納トレイに収納されている記録媒体が、記録媒体搬送機構によって搬送されて記録媒体排出口５から装置外に排出される。
【００３２】
各種スイッチ６等は、いずれも押しボタン式のスイッチで構成され、右側から順番にスタートスイッチ６と、テンキースイッチ群７と、コピーモードスイッチ８と、ＦＡＸモードスイッチ９とが配置されている。各種スイッチ６等が操作者によって押下られると、そのスイッチ毎に割り当てられた処理が実行される。
【００３３】
スタートスイッチ６は、コピーモードやＦＡＸモードを開始するためのスイッチである。テンキースイッチ群７は複数個のスイッチからなり、その各スイッチには「０」から「９」の数字が割り当てられており、この各スイッチによりＦＡＸ番号やコピー枚数等が指定することができる。コピーモードスイッチ８は、読取った原稿の画像を記録媒体に記録するコピーモードを指定するスイッチである。ＦＡＸモードスイッチ９は、読取った原稿の画像データを指定されたＦＡＸ番号に送信するＦＡＸモードを指定するスイッチである。
【００３４】
液晶パネル１０は、各種スイッチ６等の操作内容やプリンタ装置１の操作状態等を表示するものであり、具体的には、汎用のＬＣＤ（Ｌｉｑｕｉｄ  Ｃｒｙｓｔａｌ  Ｄｉｓｐｌａｙ）によって構成されている。
【００３５】
更に、本体筐体２の上面には、本体筐体２の上面に対して開閉可能に軸支された蓋部材１１が取付けられている。蓋部材１１は、閉じた状態において原稿供給口４を覆う帯状の把手部分１１ａと、その把手部分１１ａの両側から記録媒体排出口５と各種操作子６等と液晶パネル１０とを避けて帯状に延び、その両端部が本体筺体２と開閉可能に連結される連結部分１１ｂとによって、平面視略コの字型に形成されている。
【００３６】
よって、蓋部材１１を閉じた状態にすると、原稿供給口４は把手部分１１ａに覆われるので、原稿供給口４から埃、塵等がプリンタ装置１の内部に侵入してプリンタ装置１の故障の原因となるのを抑制することができる。また、各種操作子６等外部に露出した状態になっているので、いちいち蓋部材１１を開けることなく操作子６等を操作することができ、ＦＡＸの受信原稿をいつでも外部に排出することができる。
【００３７】
一方、蓋部材１１を本体筐体２に対して開いた状態にして、把手部分１１ａを把手することで、プリンタ装置１自体を持ち上げて運搬することができる。即ち、蓋部材１１は取っ手としても機能することができる。
【００３８】
本体筐体２の側面（図中正面側）には、上述した凹部２ａの下方に原稿排出口１３と、その原稿排出口１３の下方に脚部材１４とが配置されている。
【００３９】
原稿排出口１３は、原稿供給口４から供給されたシート原稿を外部に排出するためのものである。供給されたシート原稿は本体筐体２に内包されている原稿排出機構によって、この原稿排出口１３から装置外に排出される。
【００４０】
脚部材１４は、本体筐体２を支持するためのものであって、正面側だけでなく、その裏面側にも配置されている。また、脚部材１４は伸縮自在に構成されており、脚部材１４を縮ませると本体筐体２の内部に収納可能に構成されている。
【００４１】
よって、プリンタ装置１を安定した状態で載置させることができると共に、脚部材１４を縮ませて本体筐体２の内部に収納することでプリンタ装置１をコンパクトな状態で配置することもできる。また、裏面側に配置された脚部材１４を本体筐体２の内部に収納すれば、プリンタ装置１の裏面側は平坦な面になるので、その裏面を壁面にフィットさせた状態でプリンタ装置１を配置することができる。
【００４２】
次に、図２を参照して、プリンタ装置１の内部構成について説明する。図２（ａ）は、プリンタ装置１の概略的な断面図であり、図２（ｂ）は、スキャナ部３を開いた状態におけるプリンタ装置１の概略的な断面図である。尚、図２以降においては、図面を簡略化するために蓋部材１１の図示は省略する。
【００４３】
まず、本体筐体２の内部構成について説明する。本体筺体２の内部には、主に、その下方に記録装置としてのラインヘッド２０と、そのラインヘッド２０の上方に配置される部材配置スペース２１と、その部材スペース２１の図中右側に配置される記録媒体収納トレイ２２と、その記録媒体収納トレイ２２と間に部材配置スペース２１を挟んだ位置に配置され、本体筺体２の上方から下方に向かって直線状に延びるガイドプレート２３と、そのガイドプレート２３の下方であって、その一部が原稿支持面２ｂから露出し、スキャナ部３を閉じた状態において（図２（ａ））ガラス面３ａと接触するように配置される第１の原稿排出ローラ２４とを備えている。
【００４４】
ラインヘッド２０は、インクを吐出することでスキャナ部３で読取った原稿の画像を記録媒体Ｋに記録するものである。ラインヘッド２０にはインクを吐出するノズルが記録媒体Ｋの記録範囲以上にわたって形成されたノズル形成面２０ａが備えられており、ラインヘッド２０は、そのノズル形成面２０ａが下向きになるように配置されている。つまり、記録媒体Ｋへの記録はラインヘッド２０の下方を通過する際に行われる。
【００４５】
このようにラインヘッド２０を本体筐体２の下方に配置することで、プリンタ装置１の重心が下方になり、プリンタ装置１の安定性を向上させることができる。また、ノズル形成面２０ａを下向きに配置することで、インクの吐出性を安定させることができ、高画質な記録を実現することができる。
【００４６】
部材配置スペース２１は、ラインヘッド２０に供給するインクを貯留するインクカートリッジやＣＰＵ、ＲＡＭ、ＲＯＭ等を実装した基盤等を配置するためのスペースである。尚、本実施例では、その説明は省略し、単に矩形状に図示することとする。
【００４７】
記録媒体収納トレイ２２は、記録媒体を載置面に対して縦立させた状態で収納するトレイであり、本体筐体２から抜き差しできるように構成されている。このように記録媒体収納トレイ２２を本体筺体２の内部に内包させることで、外付けにする場合に比べて、プリンタ装置１の形状を簡略化でき、プリンタ装置１を持ち運び易くすることができる。
【００４８】
ガイドプレート２３は、記録媒体収納トレイ２２に収納されている記録媒体を記録媒体排出口５から排出するための記録媒体搬送機構の一部であって、特に、記録媒体排出口５に向かって上方に排出される記録媒体を支持するためのプレートである。
【００４９】
記録媒体搬送機構は、このガイドプレート２３の他にも、記録媒体収納トレイ２２と対峙する位置に配置されたピックアップローラ２６と、ラインヘッド２０の下方においてラインヘッド２０の両側に配置された２組の第１の記録媒体排出ローラ２７，２８と、ガイドプレート２３と対峙する位置に配置された２つの第２の記録媒体排出ローラ２９とを備えている。
【００５０】
ピックアップローラ２６は、記録媒体収納トレイ２２に収納されている記録媒体を抽出し、その抽出した記録媒体をラインヘッド２０に向けて下方に搬送するローラである。２組の第１の記録媒体排出ローラ２７，２８は、ピックアップローラ２６により下方に搬送される記録媒体Ｋをラインヘッド２０を介して下方から上方にＵターンさせるように搬送するためのローラである。２つの第２の記録媒体排出ローラ２９は、ガイドプレート２３との間に記録媒体Ｋを挟んで記録媒体Ｋを記録媒体排出口５に搬送するローラである。
【００５１】
尚、記録媒体搬送機構としては、上述した構成の他にも、記録媒体Ｋを円滑に下方から上方に向けてＵターンさせるべく、２組の第１の記録媒体排出ローラ２８，２９との間に配置され、断面視略Ｕ字状に形成され、記録媒体Ｋを支持する図示しないガイドプレート等を備えている。
【００５２】
上述した記録媒体搬送機構によって、記録媒体収納トレイ２２に収納されている記録媒体Ｋは、図２（ａ）に示す矢印Ａに沿って、ラインヘッド２０を介して本体筐体２の内部を略Ｕ字状に搬送され、記録媒体排出口５から装置外に排出される。
【００５３】
第１の原稿排出ローラ２４は、原稿排出機構の一部であって、本体筺体２に対してスキャナ部３を閉じた状態において（図２（ａ））、原稿供給口４からシート原稿Ｇが供給された場合に使用される。
【００５４】
第１の原稿排出ローラ２４は、その一部が原稿支持面２ｂから露出して、対面する位置にあるガラス面３ａと接触する状態で、且つ、原稿供給口４からの距離が最大のシート原稿Ｇの長さ以上の位置に配置され、両方向に回転可能に構成されている。
【００５５】
即ち、この第１の原稿排出ローラ２４は、原稿供給口４から供給されたシート原稿Ｇをガラス面３ａとの間に挟んで保持すると共に、その保持していたシート原稿Ｇを原稿排出口１３から排出するためのローラである。
【００５６】
原稿供給口４から空隙部３０は連続して直線状に下方に延びて形成されているため、原稿供給口４から供給されるシート原稿Ｇは自由落下して第１の原稿排出ローラ２４によって一旦保持される。尚、この際、第１の原稿排出ローラ２４は図面右回転しており、供給されたシート原稿Ｇは、第１の原稿排出ローラ２４によりその端部が揃えられる。
【００５７】
その後、第１の原稿排出ローラ２４は、逆回転し（図中左回転）、保持しているシート原稿Ｇを下方に搬送する。尚、この第１の原稿排出ローラ２４によって下方に搬送される原稿は、図示しない略Ｌ字状に形成されたガイドプレートに沿ってスキャナ部３側に屈曲し、第２の原稿排出ローラ３２を介して原稿排出口１３から装置外に排出される。
【００５８】
即ち、原稿供給口４から供給されるシート原稿Ｇは、図２（ａ）に示す矢印Ｂに沿って、略Ｌ字状に搬送され、原稿排出口１３から装置外に排出される。
【００５９】
次に、スキャナ部３の内部構成について説明する。上述した通りにスキャナ部３の内部には、原稿の画像を読取る読取装置３１が内包されている。この読取装置３１は、ガラス面３ａを介して原稿に光を照射し、その反射光を光電変換素子により電気信号に変換して光学的に原稿の画像を読取るように構成されている。
【００６０】
また、読取装置３１は、ガラス面３ａの長手方向に往復移動可能に配置されている。ガラス面の長手方向の両端には、図示しない一対のプリーが配置され、その一対のプリーには図示しない無端ベルトが橋架さており、読取装置３１は、この無端ベルトに連動してガラス面３ａの長手方向に往復移動可能に配置されている。
【００６１】
即ち、本体筺体２に対してスキャナ部分３を閉じた状態において（図２（ａ））、原稿供給口４からシート原稿Ｇを供給した場合には、読取装置３１は所定の位置に固定されたままの状態で、上述した原稿排出機構により読取装置３１と対峙する位置に搬送されるシート原稿Ｇの画像を読取る。
【００６２】
一方、本体筺体２に対してスキャナ部分３を開いた状態において（図２（ｂ））、ガラス面３ａにブック原稿Ｂを載置した場合には、読取装置３１は矢印Ｓ方向にガラス面に沿って移動し、ブック原稿Ｂの画像を読取る。
【００６３】
次に、スキャナ部３と本体筺体２との連結機構について説明する。スキャナ部３のガラス面３ａよりも下方の部分は、凹部２に配置された支持軸３３により回転可能に軸支されている。
【００６４】
よって、スキャナ部３は、この支持軸３３を軸芯として載置面側に対して倒伏可能に構成され、ブック原稿Ｂを読取るために、操作者がスキャナ部３の上端に手を掛け、支持軸３３を中心として載置面側に倒すことができる。そして、この倒した状態においては、ガラス面３ａが上向きに配置されるため、そのガラス面３ａにブック原稿Ｂを載置することで、ブック原稿Ｂを読取ることができる。
【００６５】
尚、この支持軸３３を軸芯として回動するスキャナ部３と、縦立した状態の本体筐体２とのなす角度は、略７０度から略１２０度程度になるように構成され、好ましくは、略８０度から略１１０度程度になるように構成することが好ましい。この範囲の角度の状態になるように構成することで、投影面積を大きくすることができる。
【００６６】
次に、図３（ａ）を参照して、第２実施例のプリンタ装置２００について説明する。図３（ａ）は、第２実施例のプリンタ装置２００の概略的な断面図である。尚、以降、図３乃至図７においては、第１実施例のプリンタ装置１と同じ構成については、同一の符号を付し、その説明を省略する。
【００６７】
この第２実施例のプリンタ装置２００は、第１実施例のプリンタ装置１に備えられたラインヘッド２０から吐出されるインクの吐出方向を変更したものである。即ち、第１実施例のプリンタ装置１では、インクが下向きに吐出されるようにラインヘッド２０を配置していたのに対し、この第２実施例のプリンタ２００では、インクが横向きに（図中左向きに）吐出されるようにラインヘッド２０を配置したものである。
【００６８】
具体的には、第１実施例と同じ位置において、ラインヘッド２０のノズル形成面２０ａが横向き（図中左向き）になるように配置し、記録媒体排出口５に向かって上方に搬送される途中の記録媒体Ｋに向かってインクを着弾させる。
【００６９】
第１実施例のプリンタ装置１の場合、インクが着弾した記録媒体Ｋは、その後略９０度屈曲されるので、その影響で着弾したインクが流動して、画像品質を劣化させる恐れがある。
【００７０】
一方、この第２実施例のプリンタ装置２００では、インクが着弾した記録媒体Ｋは、その後、屈曲されることなく直線状に上方に向けて搬送されるので、インクが流動して画像品質が劣化するのを抑制することができる。また、ラインヘッド２０は、ノズル形成面２０ａの幅方向よりも高さ方向の方が短く構成されているため、ラインヘッド２０をこのように配置することで、本体筐体２の奥行き方向の厚みをより薄型にすることができる。
【００７１】
次に、図３（ｂ）を参照して、第３実施例のプリンタ装置３００について説明する。図３（ｂ）は、第３実施例のプリンタ装置３００の概略的な断面図である。
【００７２】
この第３実施例のプリンタ装置３００は、第１実施例のプリンタ装置１に備えられた記録媒体搬送機構による記録媒体の搬送経路を変更したものである。即ち、第１実施例のプリンタ装置１では、記録媒体は略Ｕ字状の搬送経路を辿って装置外に排出されていたのに対して、この第３実施例のプリンタ３００では、記録媒体は略Ｌ字状の搬送経路を辿って装置外に排出される。
【００７３】
このため、第１実施例のプリンタ装置１では、本体筐体２の上面に配置されていた記録媒体排出口５は、本体筐体の側面（正面側）であって、原稿排出口１３の下方に配置される。
【００７４】
よって、ピックアップローラ２６によって下方に搬送される記録媒体Ｋは、図示しないガイドプレートに沿って記録媒体排出口５が開口する側に屈曲し、２組の第１の記録媒体排出ローラ２７，２８によってラインヘッド２０の下方を通過しながら記録媒体排出口５から排出される。
【００７５】
このように、記録媒体Ｋを略Ｌ字状に搬送することで、略Ｕ字状に搬送する場合に比べて、記録媒体の搬送経路を短縮できるので、高速に記録媒体を装置外に排出することができる。また、記録媒体Ｋとシート原稿Ｇとが同じ方向から排出されるので、操作性を向上させることができる。
【００７６】
次に、図４を参照して、第４実施例のプリンタ装置４００について説明する。図４（ａ）乃至（ｃ）は、第４実施例のプリンタ装置４００の概略的な断面図であって、原稿排出機構による原稿の搬送過程を時系列に並べた図である。
【００７７】
この第４実施例のプリンタ装置４００は、原稿排出機構による原稿の搬送経路を変更したものである。即ち、第１実施例のプリンタ装置１では、略Ｌ字状にシート原稿Ｇを搬送していたのに対して、この第４実施例のプリンタ４００では、原稿供給口４から供給したシート原稿Ｇを再び原稿供給口４から排出すべく、略Ｉ字状にシート原稿Ｇを搬送するものである。
【００７８】
この第４実施例には、原稿排出機構の一部として、本体筺体２に対してスキャナ部３を閉じた状態において、その一部が原稿支持面２ｂから露出してガラス面３ａと接触し、且つ、原稿供給口４からの距離が最小のシート原稿Ｇの長さ以下の位置に配置され、両方向に回転可能に構成された第３の原稿排出ローラ３６を備えている。
【００７９】
まず、（ａ）に示すように、原稿供給口４からシート原稿Ｇが供給されると、そのシート原稿Ｇは第３の原稿排出ローラ３６において一旦保持される。この際、第３の原稿排出ローラ３６は図中右回転しており、シート原稿Ｇの端部が揃えられる。
【００８０】
また、第３の原稿排出ローラ３６は、原稿供給口４からの距離が最小のシート原稿の長さ以下の位置に配置されているので、供給されたシート原稿Ｇの端部は原稿供給口４から装置外に飛び出した状態になる。
【００８１】
次に、（ｂ）に示すように、第３の原稿排出ローラ３６を逆回転（左回転）し、シート原稿Ｇを下方に引き込む。そして、読取装置３１を矢印Ｓ方向に移動させ、シート原稿Ｇの画像を読取る。
【００８２】
次に、（ｃ）に示すように、再び、第３の原稿排出ローラ３６を逆回転（右回転）させる。すると、シート原稿Ｇは（ａ）に示す状態と同じように、その端部が原稿供給口４から飛び出し状態になる。尚、この原稿供給口４から端部が飛び出したシート原稿Ｇは、操作者によって装置外に引き出される。
【００８３】
このように、この第４実施例のプリンタ装置４００によれば、シート原稿Ｇを排出する原稿排出口を原稿供給口４と共通化することができるので、略Ｌ字状に原稿を搬送する場合に比べて、原稿搬送機構を簡略化することができ、装置のコストダウンを招来することができる。
【００８４】
次に、図５を参照して、第５実施例のプリンタ装置５００について説明する。図５（ａ）乃至（ｃ）は、第５実施例のプリンタ装置５００の概略的な断面図であって、原稿排出機構による原稿の搬送過程を時系列に並べた図である。図５（ｄ）は第４の原稿排出ローラ３７を示す拡大断面図である。
【００８５】
この第５実施例のプリンタ装置５００は、第４実施例のプリンタ装置４００と同様に、原稿供給口４から供給したシート原稿Ｇを再び原稿供給口４から排出すべく略Ｉ字状にシート原稿Ｇを搬送するものである。
【００８６】
この第５実施例のプリンタ装置５００には、原稿排出機構の一部として、第１の原稿排出ローラ２４の上方に第４の原稿排出ローラ３７が配置されている。
【００８７】
この第４の原稿排出ローラ３７は、図５（ｄ）に示すように、第１ギヤ３８と、その第１ギヤ３８と連動して揺動するアーム３９と、そのアーム３９の一端側と連結された第２ギヤ４０と、その第２ギヤ４０と第１ギヤ３８とに挟まれた第３ギヤ４１と、第２ギヤ４０に連動して回転するローラ４２とによって構成されている。
【００８８】
まず、（ａ）に示すように、原稿供給口４からシート原稿Ｇが供給されると、第４の原稿排出ローラ３７は、原稿供給口４から連続して延びる空隙部３０から避けた位置にあるので、シート原稿Ｇは第１の原稿排出ローラ２４の位置まで落下して、第１の原稿排出ローラ２４によって一旦保持される。
【００８９】
次に、（ｂ）に示すように、読取装置３１が矢印Ｓ方向に移動し、シート原稿Ｇの画像が読み取られる。
【００９０】
次に、（ｃ）に示すように、第１ギヤ３８が図中右回転を開始し、それに連動してアーム３９がガラス面３ａ側に揺動する。すると、ローラ４２がガラス面３ａとの間にシート原稿Ｇを挟み、第１ギヤ３８の回転が、第３ギヤ４１を介して第２ギヤ４０に伝達され、その第２ギア４０が回転することでローラ４２が右回転する。よって、シート原稿Ｇはローラ４２によって原稿供給口４に向けて押し上げられ、再び、原稿供給口４から装置外に排出される。
【００９１】
このように、この第５実施例のプリンタ装置５００によれば、第４実施例のプリンタ装置４００よりも、排出可能なシート原稿Ｇの大きさの範囲が広げることができる。
【００９２】
次に、図６を参照して、第６実施例のプリンタ装置６００について説明する。図６は、スキャナ部３を開いた状態における第６実施例のプリンタ装置６００の概略的な断面図である。この第６実施例のプリンタ装置６００はスキャナ部３に脚部材４５を配置したものである。
【００９３】
この脚部材４５は、スキャナ部３を開いた場合、載置面に対してスキャナ部３を支持するためのものであって、スキャナ部３の側面に配置された支持軸４６に回動可能に軸支され、ガラス面３ａが略水平な状態になるようにスキャナ部３を支持する長さに構成されている。
【００９４】
この脚部材４５により、スキャナ部３を載置面側に倒した場合には、ガラス面３ａは載置面に対して略水平な状態になるので、使用者がブック原稿Ｂ支持していなくとも、ブック原稿Ｂを安定してガラス面３ａの上に載置させることができる。
【００９５】
また、スキャナ部３が直接に載置面に接触してスキャナ部３を支持する場合に比べて、脚部材４５は載置面との接触面積が少なくて済むので、載置面に凹凸があったとしても、その凹凸に影響されにくく、ガラス面３ａを載置面に対して略水平な状態にすることができる。尚、スキャナ部３を閉じる場合には、脚部材４５はスキャナ部３側に回動して収容される。
【００９６】
次に、図７を参照して、第７実施例のプリンタ装置７００について説明する。スキャナ部３を開いた状態における第７実施例のプリンタ装置７００の概略的な断面図である。この第７実施例のプリンタ装置７００は、スキャナ部３を開いた場合に、スキャナ部３のガラス面３ａと対面する全面が載置面に倒れるように、スキャナ部３を本体筐体２に回動可能に連結したものである。
【００９７】
具体的には、第１実施例のプリンタ装置１では、本体筐体２の底面から所定間隔を開けた位置に凹部２が配置されていたのに対して、この第７実施例のプリンタ装置７００では、凹部２は本体筐体２の底面まで延びるように形成され、スキャナ部３は、そのように形成された凹部２の内側であって載置面の直上に配置された支持軸３３に、その下方部分を回転可能に軸支されている。
【００９８】
よって、この支持軸３３を軸芯として、スキャナ部３を開いた状態にすると、スキャナ部３のガラス面３ａと対面する全面が載置面に倒される。かかる場合には、辞書等の厚く、重いブック原稿Ｂをガラス面３ａ上に載置したとしても、安定した状態でブック原稿の画像を読取ることができる。
【００９９】
以上実施例に基づき本発明を説明したが、本発明は上記実施例に何ら限定されるものでなく、本発明の主旨を逸脱しない範囲内で種々の改良変形が可能であることは容易に推察できるものである。
【０１００】
上述したプリンタ装置１では、スキャナ部３を閉じた状態において、ガラス面３ａと対面する本体筐体２の表面を原稿支持面２ａとする場合について説明したが、スキャナ部３側にガラス面３ａを覆う原稿カバーを設けるようにしても良い。この場合には、ガラス面３ａと原稿カバーとの間にブック原稿を挟んだ状態でブック原稿の画像を読取ることができるので、外乱光が入射するのを防止して、読取り精度を向上させることができる。
【０１０１】
また、上述したプリンタ装置１では、記録媒体収納トレイ２２を本体筺体２の内部に配置する場合について説明したが、記録媒体収納トレイ２２を本体筺体２の側面に傾けた状態で着脱自在に配置するようにしても良い。かかる場合には、本体筺体２の奥行きをより薄型にすることができ、本体筐体２から、その記録媒体収納トレイ２２を外した状態にすれば、より省スペースでプリンタ装置１を配置することができる。
【０１０２】
また、上述したプリンタ装置１では、スキャナ部３を支持軸３３を軸支して本体筐体２に対してスキャナ部３を回動可能に構成する場合について説明したが、スキャナ部３を開いた状態において、スキャナ部３のガラス面３ａが上向きに配置されるような構成であれば、例えば、蝶番状にスキャナ部３と本体筐体２とを連結するように構成しても良い。
【０１０３】
また、上述したプリンタ装置１では、液晶パネル１０を本体筐体２の上面に配置する場合について説明したが、液晶パネル１０を蓋部材１１の把手部分１１ａの裏面に配置するようにしても良い。かかる場合には、蓋部材１１を開いた状態にすれば、使用者に対して液晶パネル１０が起立した状態になるので、液晶画面を見易くすることができる。
【図面の簡単な説明】
【０１０４】
【図１】（ａ）は本体筐体に対してスキャナ部と蓋部材とを閉じた状態を示す本発明のプリンタ装置の斜視図である。（ｂ）は本体筺体に対してスキャナ部と蓋部材とを開いた状態を示すプリンタ装置の斜視図である。
【図２】（ａ）はプリンタ装置の概略的な断面図である。（ｂ）はスキャナ部を開いた状態におけるプリンタ装置の概略的な断面図である。
【図３】（ａ）は第２実施例のプリンタ装置の概略的な断面図である。（ｂ）は第３実施例のプリンタ装置の概略的な断面図である。
【図４】（ａ）乃至（ｃ）は、第４実施例のプリンタ装置の概略的な断面図であって、原稿排出機構による原稿の搬送過程を時系列に並べた図である。
【図５】（ａ）乃至（ｃ）は、第５実施例のプリンタ装置の概略的な断面図であって、原稿排出機構による原稿の搬送過程を時系列に並べた図である。（ｄ）は第４の原稿排出ローラを示す拡大断面図である。
【図６】スキャナ部を開いた状態における第６実施例のプリンタ装置の概略的な断面図である。
【図７】スキャナ部を開いた状態における第７実施例のプリンタ装置の概略的な断面図である。
【符号の説明】
【０１０５】
１    プリンタ装置（画像形成装置）
２    本体筐体（画像形成部）
３    スキャナ部（画像読取部）
３ａ  ガラス面（読取り面）
４    原稿供給口
２０  ラインヘッド（記録手段）
２２  記録媒体収納トレイ  （シート材供給手段）
２４  第１の原稿排出ローラ（原稿排出手段の一部）
３２  第２の原稿排出ローラ（原稿排出手段の一部）
２６  ピックアップローラ（搬送手段の一部）
２７  第１の記録媒体排出ローラ（搬送手段の一部）
２８  第１の記録媒体排出ローラ（搬送手段の一部）
２９  第２の記録媒体排出ローラ（搬送手段の一部）
３１  読取装置（走査手段の一部）
３６  第３の原稿排出ローラ（原稿排出手段の一部）
３７  第４の原稿排出ローラ（原稿排出手段の一部）
４５  脚部材（脚部）
【図１】
2006093759.tif 000003
【図２】
2006093759.tif 000004
【図３】
2006093759.tif 000005
【図４】
2006093759.tif 000006
【図５】
2006093759.tif 000007
【図６】
2006093759.tif 000008
【図７】
2006093759.tif 000009